(57)【要約】      （修正有）【課題】小さく折り畳めることが可能となるようにすると共に、開封操作で全開口して収納物の出し入れを容易にすることができるポーチを提供する。【解決手段】可撓性材料によるシート製のポーチであって、矩形状の底板２から立設される周壁３の上端に、対向する一対の周壁部の一方の周壁部３ａ上端中央を基端、他方の周壁部３ｂの上端中央を先端とするファスナー４を設け、前記した一方の周壁部３ａに、上端中央から下端側端にかけて内折れ線５ａを夫々形成すると共に、前記した他方の周壁部３ｂに、上端中央から下端側端にかけて内折れ線５ｂを夫々形成した構成で、底板２と周壁３との連接部に補強リブ６を付設する。【選択図】図１
0003206292.tif 000002
【実用新案登録請求の範囲】
【請求項１】
可撓性材料によるシート製のポーチであって、矩形状の底板（２）から立設される周壁（３）の上端に、対向する一対の周壁部の一方の周壁部（３ａ）上端中央を基端、他方の周壁部（３ｂ）の上端中央を先端とするファスナー（４）を設け、前記一方の周壁部（３ａ）に、上端中央から下端側端にかけて内折れ線（５ａ）を夫々形成すると共に、前記他方の周壁部（３ｂ）に、上端中央から下端側端にかけて内折れ線（５ｂ）を夫々形成したことを特徴とするポーチ。
【請求項２】
底板（２）と周壁（３）との連接部に補強リブ（６）を付設したことを特徴とする請求項１に記載のポーチ。
【考案の詳細な説明】
【技術分野】
【０００１】
本考案は、折り畳んでの扁平形状が維持でき、使用に際しては全面開口が容易なポーチに関するものである。
【背景技術】
【０００２】
財布や携帯端末機器、手帳と筆記具、化粧品等の小物を収納保持するケースとして、ポーチが広く用いられている。このポーチは、不使用時や店頭等での販売陳列時には嵩張らないようにするために、小さく折り畳むことができるようにすることが望ましい。
【０００３】
この種のポーチや小型バッグとして、以下の如き発明、考案の提案が従来よりなされている。
【先行技術文献】
【特許文献】
【０００４】
【特許文献１】特開２００２−１４２８３１号公報
【特許文献２】実用新案登録第３１９６１０６号公報
【特許文献３】特開２０１４−９７３８７号公報
【考案の概要】
【考案が解決しようとする課題】
【０００５】
特許文献１の「エコバッグ」の発明は、有底函体の上端に観音開き状に一対の蓋を連接し、蓋の対向する端面をファスナーで連結する構成であり、ファスナーを開くことにより函体が全開口するので、収納物の出し入れが極めて容易である利点を有している。しかしながらこの函体を全開口維持するために函体の上端周囲にはピアノ線が配されており、上下の折り畳みは可能であるものの、ピアノ線部分は曲げられないため、小さく折り畳めない問題がある。
【０００６】
特許文献２の「バッグ」の考案は、天板の中央に直線ファスナーを配した構成で、小さく折り畳める利点は有するものの、ファスナーを開いても全開口させることはできず、収納物の出し入れが不自由である。
【０００７】
特許文献３の「拡張トランク」の発明は、有底函体の上端に蓋を連設し、蓋は函体の上端約３／４周をファスナーで連結する構成であり、ファスナーを開くことにより函体が全開口するので、収納物の出し入れが極めて容易である利点を有し、小さく畳むことも可能であるが、全開口させるためにファスナーを約３／４周分操作しなければならず、出し入れの際に蓋が邪魔になる不満が残る。
【０００８】
よって本考案は、上述した従来技術の欠点、不都合、不満を解消するべく開発されたポーチであって、小さく折り畳めることが可能となるようにすると共に、開封操作で全開口して収納物の出し入れを容易にすることができるようにすることを目的とする。
【課題を解決するための手段】
【０００９】
上記課題を解決するため本考案のポーチは、可撓性材料によるシート製であって、矩形状の底板から立設される周壁の上端に、対向する一対の周壁部の一方の周壁部上端中央を基端、他方の周壁部の上端中央を先端とするファスナーを設け、前記した一方の周壁部に、上端中央から下端側端にかけて内折れ線を夫々形成すると共に、前記した他方の周壁部に、上端中央から下端側端にかけて内折れ線を夫々形成したことを特徴とする。
【００１０】
また、底板と周壁との連接部に補強リブを付設する。
【考案の効果】
【００１１】
上記した本考案にあって、不使用時や店頭等での販売陳列時等の際は、全体が可撓性材料によるシート製であるので、夫々の内折れ線を折り曲げることにより全体を扁平な状態に維持することができ、ファスナーに沿って、或いはファスナーに直交する方向に全体を折り曲げれば、更に小さく折り畳むことができて嵩張らない。
【００１２】
また、上記扁平状態でファスナーを開いて押し広げれば、内折れ線の折り曲りが解かれて自ずと周壁が立ち上がり、底板と同一形状の全面開口が得られ、収納物の出し入れが極めて容易なものとなる。この場合、底板と周壁との連接部に補強リブが付設されていると、全面開口が或る程度維持される。
【００１３】
財布や携帯端末機器等を収納した状態でファスナーを閉じても、可撓性材料によるシート製であるが故に底板や周壁が或る程度膨らむので、多くのものを詰め込むことができる等、本考案は多くの優れた作用効果を奏する。
【図面の簡単な説明】
【００１４】
【図１】開口状態を示す斜視図である。
【図２】閉口状態の平面図である。
【考案を実施するための形態】
【００１５】
本考案のポーチ１は、可撓性材料によるシート製であって、矩形状の底板２から立設される周壁３の上端に、対向する一対の周壁部の一方の周壁部３ａ上端中央を基端、他方の周壁部３ｂの上端中央を先端とするファスナー４を設け、前記した一方の周壁部３ａに、上端中央から下端側端にかけて一方の内折れ線５ａを夫々形成すると共に、前記した他方の周壁部３ｂに、上端中央から下端側端にかけて他方の内折れ線５ｂを夫々形成した構成である。
【００１６】
底板２と周壁３との連接部には補強リブ６が付設されてあり、周壁３の立ち上がり姿勢が維持されるので、全面開口が或る程度維持されることになる。
【実施例】
【００１７】
ポーチ１を構成する可撓性材料のシートとしては、例えば厚手のキャンバス布地、塩化ビニルなどの合成樹脂地が望ましく、柄模様等を刺繍し或いはプリントすれば、携帯品として美麗なものになる。
【００１８】
図２のように直線ファスナー４を閉じると、前記した対向する一対の周壁部の一方の周壁部３ａ或いは他方の周壁部３ｂは、一方の内折れ線５ａ及び他方の内折れ線５ｂが折れ曲がることにより自然と三角形状に夫々重なり、また、対向する他の一対の周壁部３ｃ、３ｄは同様に底板２に重なる。従って全体としては、底板２と周壁３とが重なるだけで、一部に皺が寄ることもない略六角形の扁平な形態を維持できる。
【００１９】
そして図１のように直線ファスナー４を開いて押し広げれば周壁３は底板２から自ずと立ち上がるので、底板２の面積とほぼ同一の開口面積にワンタッチで開くことができるのである。
【００２０】
また、底板２の底面側や周壁３の内面側にポケットを設ければ（図示省略）、ポケットティッシュペーパーやコンタクトレンズケースを収納することもできる。
【符号の説明】
【００２１】
１  ポーチ
２  底板
３  周壁
３ａ  一方の周壁部
３ｂ  他方の周壁部
３ｃ  他の一対の一方の周壁部
３ｄ  他の一対の他方の周壁部
４  ファスナー
５ａ  一方の内折れ線
５ｂ  他方の内折れ線
６  補強リブ
【図１】
0003206292.tif 000003
【図２】
0003206292.tif 000004